(57)【要約】【課題】カラーマネージメントシステムにおいて、色飛びや色あせが生じることのない色変換係数を決定できるようにする。【解決手段】測色的ＣＭＳベース色変換係数決定部２００は、デバイス非依存の色信号に対してデバイス再現域に左右されない測色的な一致で再現を行なうための忠実色再現予測値を求める。色温度変換補整部２２０などにて環境光などを考慮した補正を施してから好適色再現係数決定部２８０に入力する。忠実色再現変換係数決定部２８２は、デバイス再現域を越えた忠実再現色変換係数を取得する。線形圧縮色再現係数決定部２８４は、ディスプレイの色域内で収まるような圧縮を施す。関数比例演算部２８６は、忠実再現色変換係数と線形圧縮色変換係数とを入力とした関数を用いて好適色再現係数を求める。低明度領域では忠実再現色変換係数に依存度が高く、高明度領域では線形圧縮色変換係数に依存度が高くなる色変換係数が求められる。【選択図】　　　　図３
2004110647.tif 000002
【特許請求の範囲】
【請求項１】
電子原稿を表す画像表示装置に表示されるカラー画像の色情報を補正するために使用される色変換係数であって、前記画像表示装置に依存しない色空間であるデバイス非依存色空間上の座標で表わされる第１の色信号と、前記画像表示装置に依存した色空間であるデバイス依存色空間上の座標で表わされる第２の色信号との対応関係を表わす色変換係数を作成する色変換係数作成方法において、
前記第１の色信号に対して前記画像表示装置の色再現域に左右されない測色的な一致で再現を行なうための前記色変換係数である忠実再現色変換係数を決定する忠実再現色変換係数決定工程と、
前記画像表示装置の色再現域に基づいた再現を行なうための前記色変換係数である色域圧縮色変換係数を決定する色域圧縮色変換係数決定工程と、
前記忠実再現色変換係数決定工程にて得られた前記忠実再現色変換係数と、前記色域圧縮色変換係数決定工程にて得られた前記色域圧縮色変換係数とに基づいて、前記電子原稿の色と略等価な画像を前記画像表示装置に表示させるための前記色変換係数である好適色変換係数を決定する好適色再現係数決定工程と
を有することを特徴とする色変換係数作成方法。
【請求項２】
電子原稿を表す画像表示装置に表示されるカラー画像の色情報を補正するために使用される色変換係数であって、前記画像表示装置に依存しない色空間であるデバイス非依存色空間上の座標で表わされる第１の色信号と、前記画像表示装置に依存した色空間であるデバイス依存色空間上の座標で表わされる第２の色信号との対応関係を表わす色変換係数を作成する色変換係数作成装置において、
前記第１の色信号に対して前記画像表示装置の色再現域に左右されない測色的な一致で再現を行なうための前記色変換係数である忠実再現色変換係数を決定する忠実再現色変換係数決定部と、
前記画像表示装置の色再現域に基づいた再現を行なうための前記色変換係数である色域圧縮色変換係数を決定する色域圧縮色変換係数決定部と、
前記忠実再現色変換係数決定部が決定した前記忠実再現色変換係数と前記色域圧縮色変換係数決定部が決定した前記色域圧縮色変換係数とに基づいて、前記電子原稿の色と略等価な画像を前記画像表示装置に表示させるための前記色変換係数である好適色変換係数を決定する好適色再現係数決定部と
を備えたことを特徴とする色変換係数作成装置。
【請求項３】
前記画像表示装置の色再現域を越える領域である外挿部分の色を予測する外挿部分色予測部を備え、
前記忠実再現色変換係数決定部は、前記外挿部分色予測部が予測した前記外挿部分の色情報を参照して、前記忠実再現色変換係数を決定することを特徴とする請求項２に記載の色変換係数作成装置。
【請求項４】
前記好適色再現係数決定部は、１つの変数で規定される関数である一変数重み関数を用いて、前記忠実再現色変換係数決定部が決定した前記忠実再現色変換係数と前記色域圧縮色変換係数決定部が決定した前記色域圧縮色変換係数とを比例演算することで前記好適色変換係数を決定する関数比例演算部を有することを特徴とする請求項２または３に記載の色変換係数作成装置。
【請求項５】
前記一変数重み関数は、前記画像表示装置の色再現域内の所定の色範囲内で１次微分可能であり、且つ、単調増加または単調減少を示す関数であることを特徴とする請求項４に記載の色変換係数作成装置。
【請求項６】
前記関数比例演算部は、前記忠実再現色変換係数決定部が決定した前記忠実再現色変換係数を表す関数をｆ（ｘ）とし、前記色域圧縮色変換係数決定部が決定した前記色域圧縮色変換係数を表す関数をｇ（ｘ）とし、前記一変数重み関数をｗ（ｘ）としたとき、前記好適色変換係数を表す関数Ｃ（ｘ）を下記式に基づいて決定することを特徴とする請求項４または５に記載の色変換係数作成装置。
Ｃ（ｘ）＝ｗ（ｘ）ｇ（ｘ）＋（１−ｗ（ｘ））ｆ（ｘ）
【請求項７】
前記一変数重み関数ｗ（ｘ）は、当該一変数重み関数ｗ（ｘ）を規定する第１の定数である変極点ｘｉｎｆ、第２の定数である勾配ｐとしたとき、下記式で表されるものであることを特徴とする請求項６に記載の色変換係数作成装置。
ｗ（ｘ）＝１−１／｛（ｘ／ｘｉｎｆ）ｐ＋１｝
【請求項８】
前記一変数重み関数を規定する定数を調整する一変数重み関数定数項調整部を備えたことを特徴とする請求項４から７のうちの何れか１項に記載の色変換係数作成装置。
【請求項９】
前記電子原稿に含まれる電子原稿取得条件情報に基づいて当該電子原稿の色温度に関する情報である電子原稿色温度情報を取得する電子原稿色温度情報認識部と、
前記電子原稿色温度情報認識部が取得した前記電子原稿色温度情報が示す色温度の照明光源で前記電子原稿に対応したカラー画像を形成した記録物を観察したときの色と略等価なカラー画像を前記画像表示装置に表示させるための前記色変換係数である電子画像色温度補正色変換係数を決定する電子画像色温度補正色変換係数決定部と
を備えたことを特徴とする請求項２から８のうちの何れか１項に記載の色変換係数作成装置。
【請求項１０】
前記画像表示装置の周辺を照明する環境光源の情報である表示装置周辺環境光情報を取得する表示装置周辺環境光情報取得部と、
前記表示装置周辺環境光情報取得部によって取得された前記表示装置周辺環境光情報に基づいて、前記画像表示装置に表示される前記電子原稿を表すカラー画像の色と略等価な画像を形成するための前記色変換係数である表示装置環境光補正色変換係数を決定する表示装置環境光補正色変換係数決定部と
を備えたことを特徴とする請求項２から９のうちの何れか１項に記載の色変換係数作成装置。
【請求項１１】
電子原稿取得条件情報を含む電子原稿を表す画像表示装置に表示されるカラー画像の色情報を補正するために使用される色変換係数であって、前記画像表示装置に依存しない色空間であるデバイス非依存色空間上の座標で表わされる第１の色信号と、前記画像表示装置に依存した色空間であるデバイス依存色空間上の座標で表わされる第２の色信号との対応関係を表わす色変換係数を作成する色変換係数作成処理をするためのプログラムであって、
コンピュータを、
前記第１の色信号に対して前記画像表示装置の色再現域に左右されない測色的な一致で再現を行なうための前記色変換係数である忠実再現色変換係数を決定する忠実再現色変換係数決定部と、
前記画像表示装置の色再現域に基づいた再現を行なうための前記色変換係数である色域圧縮色変換係数を決定する色域圧縮色変換係数決定部と、
前記忠実再現色変換係数決定部が決定した前記忠実再現色変換係数と、前記色域圧縮色変換係数決定部が決定した前記色域圧縮色変換係数とに基づいて、前記電子原稿の色と略等価な画像を前記画像表示装置に表示させるための前記色変換係数である好適色変換係数を決定する好適色再現係数決定部と
して機能させることを特徴とするプログラム。
【請求項１２】
電子原稿取得条件情報を含む電子原稿を表す画像表示装置に表示されるカラー画像の色情報を補正するために使用される色変換係数であって、前記画像表示装置に依存しない色空間であるデバイス非依存色空間上の座標で表わされる第１の色信号と、前記画像表示装置に依存した色空間であるデバイス依存色空間上の座標で表わされる第２の色信号との対応関係を表わす色変換係数を作成する色変換係数作成処理をするためのプログラムを格納したコンピュータ読取可能な記憶媒体であって、
コンピュータに、
前記第１の色信号に対して前記画像表示装置の色再現域に左右されない測色的な一致で再現を行なうための前記色変換係数である忠実再現色変換係数を決定する忠実再現色変換係数決定手順と、
前記画像表示装置の色再現域に基づいた再現を行なうための前記色変換係数である色域圧縮色変換係数を決定する色域圧縮色変換係数決定手順と、
前記忠実再現色変換係数決定手順にて得られた前記忠実再現色変換係数と、前記色域圧縮色変換係数決定手順にて得られた前記色域圧縮色変換係数とに基づいて、前記電子原稿の色と略等価な画像を前記画像表示装置に表示させるための前記色変換係数である好適色変換係数を決定する好適色再現係数決定手順と
を実行させるプログラムを格納したことを特徴とする記憶媒体。
【発明の詳細な説明】
【０００１】
【発明の属する技術分野】
本発明は、ＣＲＴやＬＣＤ（液晶）などのカラー画像表示装置における色再現性を向上させるための色変換係数を作成する方法および装置、並びにプログラムおよび当該プログラムを格納したコンピュータ読取り可能な記憶媒体に関する。より詳細には、カラー画像表示装置におけるカラーマッチング処理（カラーマネジメントシステム；ＣＭＳ）に関する。
【０００２】
【従来の技術】
液晶（ＬＣＤ）表示装置やＣＲＴ（Ｃａｔｈｏｄｅ　Ｒａｙ　Ｔｕｂｅ）を始めとする表示装置は、コントラストや彩度限界（色域）あるいは輝度特性などの違いによって、各表示方式ごとに色の見え方が異なる。また、表示装置が設置された環境における照明条件や表示装置を見るときの角度あるいは距離によって色の見え方や感じ方が変わる。さらに、経年変化によってデバイス特性が変化するため、出荷時の特性が同じであったとしても、その後の使われ方によって色再現特性が変化する。
【０００３】
さらに、プリンタやスキャナなどの周辺機器とデータをやり取りする際には、入出力特性やそのデバイスの再現可能な色域（Ｇａｍｕｔ；色再現域）が異なるのが当然である。たとえば、インターネットなどを利用した情報処理システムでは、パソコンなどの各端末機器におけるモニター相互間の画像の色合わせあるいはモニターのカラー画像とプリンタによってプリントアウトされたカラー画像との色合わせは重要な課題である。
【０００４】
またたとえば、ＤＴＰ（Ｄｅｓｋ　Ｔｏｐ　Ｐｕｂｌｉｓｈｉｎｇ　）などで使用されるシステムでは、通常ＣＲＴなどの画像表示装置上で画像の生成および編集を行ない、最終的なドキュメントを印刷するといった形で出力している。用いられる表示装置や出力機器は多種開発され、複数種、複数台の装置が利用されてきている。このような環境においては、表示装置および出力装置の各特性、デバイス間でのばらつき、環境光などにより同じ画像を表示させても色のばらつきが発生するという問題点があるので、前述同様、それぞれのデバイスにおけるカラー画像の色合わせは重要な課題である。
【０００５】
近年、カラー画像を取り扱う分野においては、各装置において出力される色を統一的に管理するために、すなわち、デバイスが異なっても画像（特に色）の見え方が同じであるようにするために、デバイス特性をキャリブレーションして、その特性を記述したプロファイルをデバイスごとに作成することで、システム全体としてのカラーマッチング処理を実現する仕組みが考えられている。このような仕組みを設けたシステムを、カラーマネージメントシステム（ＣＭＳ；Ｃｏｌｏｒ　Ｍａｎａｇｅｍｅｎｔ　Ｓｙｓｔｅｍ　）という。ＤＴＰの分野でも、このカラーマネージメントシステムが導入され、印刷物やディスプレイなどの置かれる観察環境光をも考慮したシステム開発が進んでいる。
【０００６】
ここで、カラーマネージメントシステムを構築する場合の信号処理モデルとしては、種々のものが提案されているが、代表的なものとして、変換テーブルを利用するものがある。この変換テーブルを利用するものとしては、たとえばＩＣＣ（Ｉｎｔｅｒｎａｔｉｏｎａｌ　Ｃｏｌｏｒ　Ｃｏｎｓｏｒｔｉｕｍ）といわれる国際機関によって方式がまとめられ、ＩＣＣプロファイル仕様書として公開されているものがある。そして、この仕様に基づいた信号処理機能が、たとえば、米国マイクロソフト社のＩＣＭ（Ｉｍａｇｅ　Ｃｏｌｏｒ　Ｍａｎａｇｅｍｅｎｔ）や米国アップル社のＣｏｌｏｒＳｙｎｃ　など、パソコン向けのＯＳ（Ｏｐｅｒａｔｉｎｇ　Ｓｙｓｔｅｍｓ　）レベルのソフトモジュールとして搭載されている。
【０００７】
ここで、ＩＣＣで規定されているディスプレイプロファイルに関する定義は、業界標準となっているフォーマット形式（ＩＣＣプロファイル）に色変換係数を記述し、ＣＩＥ　（Ｃｏｍｍｉｓｓｉｏｎ　Ｉｎｔｅｒｎａｔｉｏｎａｌ　ｄｅ　Ｉ’Ｅｃｌａｉｒａｇｅ）で規定されるＸＹＺ表色系あるいはＬ＊ａ＊ｂ＊などのデバイスに依存しない色空間であるデバイス非依存型色空間上の色信号に変換する変換テーブル、３×３のマトリクス、およびＴＲＣ（Ｔｏｎｅ　Ｒｅｐｒｏｄｕｃｔｉｏｎ　Ｃｕｒｖｅ　）をプロファイル（規約）として持つ。
【０００８】
そして、このプロファイルに沿ったマトリクス係数およびＴＲＣ係数の決定法が種々提案されており、カラーマネージメントシステムとして実用レベルになりつつあり、また広く利用できる環境が整いつつある。たとえば、ＣＲＴモニターのＩＣＣプロファイルは、ＲＧＢ（赤緑青）３原色の色度、ガンマ曲線（ＴＲＣに相当）、白色色度点により規定されている。
【０００９】
【発明が解決しようとする課題】
しかしながら、従来のカラーマネージメントシステムでは、電子原稿およびハードコピーとディスプレイにおける色再現域の違いに起因する問題点がある。例をあげると、一般的にハードコピーに比べディスプレイの輝度レベルが低く、十分な色再現ができない。特に、観察する環境光の影響を考慮するシステムにおいて、この問題点は顕著となる。
【００１０】
従来のカラーマネージメントシステムでは、表示装置であるディスプレイにおける色変換係数は、ターゲットとなる原稿のグレイバランス（環境光源のグレイバランスなどそれに準じるもの）を保つものとして導入してきた。そのため、カラーマネージメントシステムを適用した画像であるＣＭＳ適用再現画像において、色あせや色飛びが生じる再現画像となり問題となる。すなわち、画素の色飛びが発生すれば、全体的につぶれた（特に白点）印象の画像となってしまう。つまり、現行のＩＣＣの規格内で環境光対応の色温度変換を実現しようとしても、その精度に問題があり、特に高輝度領域における色再現性に問題がある。
【００１１】
本発明は、上記事情に鑑みてなされたものであり、カラー画像を表示する表示装置において、色飛びや色あせがなく、電子原稿の本来の色を好適に再現することのできる色変換係数決定方法および装置を提供することを目的とする。また本発明は、色変換係数決定方法や装置を、電子計算機を用いてソフトウェアで実現するために好適なプログラムおよび当該プログラムを格納したコンピュータ読取り可能な記憶媒体を提供することを目的とする。
【００１２】
【課題を解決するための手段】
すなわち、本発明に係る色変換係数作成方法は、電子原稿を表す画像表示装置に表示されるカラー画像の色情報を補正するために使用される色変換係数であって、画像表示装置に依存しない色空間であるデバイス非依存色空間上の座標で表わされる第１の色信号と、画像表示装置に依存した色空間であるデバイス依存色空間上の座標で表わされる第２の色信号との対応関係を表わす色変換係数を作成する色変換係数作成方法において、第１の色信号に対して画像表示装置の色再現域に左右されない測色的な一致で再現を行なうための色変換係数である忠実再現色変換係数を決定する忠実再現色変換係数決定工程と、画像表示装置の色再現域に基づいた再現を行なうための色変換係数である色域圧縮色変換係数を決定する色域圧縮色変換係数決定工程と、忠実再現色変換係数決定工程にて得られた忠実再現色変換係数と色域圧縮色変換係数決定工程にて得られた色域圧縮色変換係数とに基づいて、電子原稿の色と略等価な画像を画像表示装置に表示させるための色変換係数である好適色変換係数を決定する好適色再現係数決定工程とを有するものとした。
【００１３】
本発明に係る色変換係数作成装置は、上記本発明に係る色変換係数作成方法を実施する装置であって、第１の色信号に対して画像表示装置の色再現域に左右されない測色的な一致で再現を行なうための色変換係数である忠実再現色変換係数を決定する忠実再現色変換係数決定部と、画像表示装置の色再現域に基づいた再現を行なうための色変換係数である色域圧縮色変換係数を決定する色域圧縮色変換係数決定部と、忠実再現色変換係数決定部が決定した忠実再現色変換係数と色域圧縮色変換係数決定部が決定した色域圧縮色変換係数とに基づいて、電子原稿の色と略等価な画像を画像表示装置に表示させるための色変換係数である好適色変換係数を決定する好適色再現係数決定部とを備えた。
【００１４】
また従属項に記載された発明は、本発明に係る色変換係数作成装置のさらなる有利な具体例を規定する。さらに、本発明に係るプログラムおよび当該プログラムを格納したコンピュータ読取り可能な記憶媒体は、本発明に係る色変換係数作成方法や装置を、電子計算機（コンピュータ）を用いてソフトウェアで実現するために好適なものである。なお、プログラムは、コンピュータ読取り可能な記憶媒体に格納されて提供されてもよいし、有線あるいは無線による通信手段を介して配信されてもよい。
【００１５】
【作用】
本発明に係る上記構成においては、デバイス非依存の色空間上の座標を表わす色信号に対して画像表示装置の色域に左右されない測色的な一致で再現を行なうための忠実再現色変換係数を決定し、さらに画像表示装置の色域に基づいた再現を行なうための色域圧縮色変換係数を決定し、それぞれ決定した忠実再現色変換係数と色域圧縮色変換係数とに基づいて電子原稿の色と略等価な画像を形成するための色変換係数である好適色変換係数を決定する。これにより、忠実再現色変換係数と色域圧縮色変換係数とを参照して、低中間調での色あせを抑えつつ、忠実再現色変換によって生じる高濃度側飽和状態を回避可能な好適色変換係数を決定することができる。
【００１６】
【発明の実施の形態】
以下、図面を参照して本発明の実施の形態について詳細に説明する。
【００１７】
図１は、本発明に係る色変換係数決定装置の一実施形態を備えた画像処理装置のブロック図である。図示するように画像処理装置１は、電子原稿データ取得部１０と、本発明に係る色変換係数決定装置の一例であるＣＭＳ色変換係数決定部２０と、色変換係数適用部３０と、表示デバイス４０とを備える。この基本的な装置構成は、従来のＣＭＳ（Ｃｏｌｏｒ　Ｍａｎｅｇｅｍｅｎｔ　Ｓｙｓｔｅｍ）を適用した画像処理装置の構成と同様である。
【００１８】
図１において、電子原稿色変換処理の流れは以下の通りである。先ず、電子原稿データ取得部１０にて得られる電子原稿３の画像データは、ＣＭＳ色変換係数決定部２０で算出された色変換係数を基に、色変換係数適用部３０にて色変換処理される。その色変換された電子画像は表示デバイス４０へ送られ、出力原稿５が出力される。このとき、ＣＭＳの実現により、理想的には、電子原稿３（ひいてはその印刷物）の色と出力原稿５の色とが等価となることが期待される。しかしながら、実際には、電子原稿３およびその印刷物であるハードコピーにおける色域（色再現域）と表示デバイス４０における色域（色再現域）の違いに起因して、ＣＭＳ適用再現画像において、色あせや色飛びが生じる再現画像となることが懸念される。本実施形態のＣＭＳ色変換係数決定部２０は、これを補整する仕組みが講じられている。以下具体的に説明する。
【００１９】
図２は、ＣＭＳ色変換係数決定部２０の一構成例のブロック図とデータの流れを示す図である。このＣＭＳ色変換係数決定部２０は、第１の最適ベースデータ算出部１０２と、マトリクス係数算出部１０４と、マトリクス変換部１０６と、第２の最適ベースデータ算出部１０８とを備える。なお“ＴＲＣ”とは“Ｔｏｎｅ　Ｒｅｐｒｏｄｕｃｔｉｏｎ　Ｃｏｒｒｅｃｔｉｏｎ”であり、たとえば特開平６−１０１７９９号を参照するとよい。
【００２０】
第１の最適ベースデータ算出部１０２は、ベースデータ対（デバイスＲＧＢベースデータ、明室環境測定値ＸＹＺベースデータ）に基づいてマトリックス係数算出用ベースデータを算出する。マトリクス係数算出部１０４は、定数付きマトリックス係数を算出する。本実施形態では、３×３行列のマトリクス係数とコンスタント係数とを算出する、すなわち定数付きマトリックス係数を算出する。
【００２１】
マトリクス変換部１０６は、マトリクス係数算出部１０４が算出した定数付きマトリックス係数のうちの３×３マトリックス係数部分のみを用いて、リニアＲＧＢデータを算出する。第２の最適ベースデータ算出部１０８は、デバイスＲＧＢベースデータとリニアＲＧＢデータとに基づいてＴＲＣ算出用デバイスＲＧＢデータを算出する。ＴＲＣ算出部１１０は、ＴＲＣ算出用デバイスＲＧＢデータとリニアＲＧＢデータとに基づいて、ＴＲＣ処理用の色変換係数を算出する。
【００２２】
さらに、上記構成のＣＭＳ色変換係数決定部２０では、色に忠実な再現として３×３行列のマトリクス係数をマトリクス係数算出部１０４にて作成した後、３×３マトリクス係数に対して色域を考慮した補正を施す３×３マトリクス係数補正部１２０を備える。また、同じく色に忠実な再現としてＴＲＣ処理用の色変換係数をＴＲＣ算出部１１０にて作成した後、この色変換係数に対して色域を考慮した補正を施すＴＲＣＬＵＴデータ補正部１８０を備える。なお、“ＬＵＴ”とは“Ｌｏｏｋ　Ｕｐ　Ｔａｂｌｅ（ルックアップテーブル）”　である。
【００２３】
このように、ＣＭＳ色変換係数決定部２０内に３×３マトリクス係数補正部１２０とＴＲＣ　ＬＵＴ　データ補正部１８０とを設けたことで、たとえば忠実な色再現および線形的な圧縮が可能となり、またその双方の特徴を保持する係数を作成することで、従来のＣＭＳで問題となっている色飛びや色あせなどを解消することができる。以下、より具体的なＣＭＳ色変換係数決定部２０の構成を例示するとともに、その構成に従って、色飛びや色あせなどを解消する点について詳細に説明する。
【００２４】
図３は、ＣＭＳ色変換係数決定部２０の具体的な構成例を示すブロック図である。また図４は、好適色再現係数決定部２８０にて使用する一変数重み関数ｗ（ｘ）の特性例を示す図である。なお、図３（Ａ）はＣＭＳ色変換係数決定部２０の全体構成のブロック図を示し、図３（Ｂ）は測色的ＣＭＳベース色変換係数決定部の詳細構成例のブロック図を示し、図３（Ｃ）は関数比例演算部の一構成例のブロック図を示す。
【００２５】
図３（Ａ）に示すように、ＣＭＳ色変換係数決定部２０は、素データからなるデータ対を用いてＣＭＳ色変換のベースとなる色変換係数を算出する測色的ＣＭＳベース色変換係数決定部２００と、色温度変換補整部２２０と、色の見え変換補正部２４０と、デバイス補正部２６０と、好適色再現係数決定部２８０とを備える。ここで、色温度変換補整部２２０、色の見え変換補正部２４０、およびデバイス補正部２６０は、図２に示した３×３マトリクス係数補正部１２０に対応する。また好適色再現係数決定部２８０は、図２に示したＴＲＣＬＵＴデータ補正部１８０に対応する。
【００２６】
測色的ＣＭＳベース色変換係数決定部２００は、図３（Ｂ）にその詳細構成例を示すように、図２の第１の最適ベースデータ算出部１０２に対応する第１ベースデータ取得部２０２と、図２のマトリクス係数算出部１０４に対応するマトリクス係数算出部２０４と、図２のマトリクス変換部１０６に対応するマトリクス変換部２０６と、図２の第２の最適ベースデータ算出部１０８に対応する第２ベースデータ取得部２０８と、および外挿部分色予測部２１２を含む図２のＴＲＣ算出部１１０に対応するＴＲＣ算出部２１０とを有する。
【００２７】
この測色的ＣＭＳベース色変換係数決定部２００は、素データからなるデータ対を用いて、たとえばＤＴＰ（デスクトップパブリッシング）業界標準となっているＤ５０観察環境下における標準表示装置での色管理をｓＲＧＢとしたＣＭＳ色変換のベースとなるＣＭＳ色変換係数を算出する。ＣＭＳ色変換係数としては、たとえば３×３マトリクスの１次元ＬＵＴ（ルックアップテーブル）の形式のものとする。
【００２８】
たとえば利用者は、ＲＧＢの値を任意に指定し、その色を表示デバイス４０で表示したときの分光放射輝度を分光放射輝度計などの色を計測する機器で測定する。第１ベースデータ取得部２０２は、このときの多数色（たとえば数１０〜数１００）に関するＲＧＢ値と測定値ＸＹＺのデータ対をベースデータとして取得する。それぞれベースデータデバイスＲＧＢ値、ベースデータデバイスＸＹＺ値とし、以後単にデバイスＲＧＢ値、デバイスＸＹＺ値という。なお、ここでは、表示装置で制御できるＲＧＢ値をデバイスＲＧＢ値といい、ＣＩＥＸＹＺ、ＣＩＥＬ＊ａ＊ｂ＊など測定値に線形な特性を持つＲＧＢ値をリニアＲＧＢ値という。
【００２９】
続いて、マトリクス係数算出部２０４は、たとえばＲＧＢＫそれぞれの単色ベタ４色を使用したマトリクス係数算出用のＲＧＢを選定し、先の第１ベースデータ取得部２０２により得られたデバイスＲＧＢ値とデバイスＸＹＺ値のデータ対を用いて、この選定したマトリクス係数算出用ＲＧＢ値に対応するＸＹＺ値を予測する。なおこの予測方法は、たとえば特開平１０−２６２１５７号に記載の方法を用いるとよい。
【００３０】
次にマトリクス係数算出部２０４は、このＲＧＢ値から予測されたＸＹＺ値の対により、ＲＧＢデータとＸＹＺデータとを線形的に結びつけるマトリクス係数を算出する。本実施形態では、下記式（１）のような３×３行列のマトリクス係数ａｉｊ＋定数項ｂｉ　で色変換係数を求め、この定数項に環境光の映り込みやデバイス間誤差黒レベルといったバイアス成分を吸収させる。これにより、より線形性のよい変換マトリクスを得ることが期待できる。
【数１】
2004110647.tif 000003
【００３１】
次に、マトリクス変換部２０６は、デバイスＸＹＺ値から、先に示したとおりデバイスＸＹＺ値に線形な特性を持つＲＧＢ値であるリニアＲＧＢ値を算出する。第２ベースデータ取得部２０８は、デバイスＲＧＢ値とリニアＲＧＢ値とに基づいてＴＲＣ算出用のベースデータ（信号対）を取得する。なお、これらの処理は従来より広く行なわれている処理と同様であるので、詳細な説明は割愛する。
【００３２】
ＴＲＣ算出部２１０は、この第２ベースデータ取得部２０８によって得られた信号対を用いて、第１の色空間で表されるデバイス非依存の色信号であるＸＹＺ値とそれを線形的に変換した第２の色空間で表される色信号であるリニアＲＧＢ値から、このリニアＲＧＢ値に対応する第２の色空間のデバイス依存型色信号であるデバイスＲＧＢ値を予測する。この際、外挿部分色予測部２１２は、対象としたディスプレイ色域の外側のデータ（外挿部分）についても予測値を算出し、すなわち外挿部分の色を予測し、十二分な色域の範囲を予測しておく。
【００３３】
ＴＲＣ算出部２１０にて予測した値を「忠実色再現予測値」（後述する図６の線分ａを参照）という。なおこの予測方法は、マトリクス係数算出部２０４と同様に、たとえば特開平１０−２６２１５７号に記載の方法を用いるとよい。
【００３４】
たとえば、ＴＲＣ算出部２１０の外挿部分色予測部２１２は、ディスプレイ（画像表示装置）の一例である表示デバイス４０の色域では再現できない範囲であるが対象印刷物の環境光源下における色再現を仮想的な色域範囲まで含めて予測する。たとえば、ＩＣＣプロファイルで規定されている範囲と同様に、一般的な８ビットで示されるＲＧＢ値では、“０”から“２５５”の範囲に対して、ＲＧＢ値で“−１００”から“４００”までとする。
【００３５】
色温度変換補整部２２０は、図３（Ａ）に示すように、対象画像表示装置の一例である表示デバイス４０の周辺を照明する環境光源の情報を示す表示装置周辺環境光情報を取得する表示装置周辺環境光情報取得部の一例である観察環境光源データ取得部２２２と、電子原稿３に含まれる電子原稿取得条件情報から電子原稿色温度情報を取得する電子原稿色温度情報認識部の一例である電子原稿色温度データ取得部２２４とを有する。
【００３６】
この色温度変換補整部２２０は、表示装置周辺環境光情報取得部の一例である観察環境光源データ取得部２２２によって得られた表示装置周辺環境光情報に基づいて、表示デバイス４０で表示（形成）される電子原稿の色と略等価な画像を形成するための色変換係数である表示装置環境光補正色変換係数を決定する。すなわち色温度変換補整部２２０は、本発明に係る表示装置環境光補正色変換係数決定部の機能を有する。
【００３７】
また、色温度変換補整部２２０は、電子原稿色温度情報認識部の一例である電子原稿色温度データ取得部２２４が取得した電子原稿色温度情報に基づいて、この電子原稿色温度情報が示す色温度の照明光源で電子原稿３に対応した画像を形成した記録物を観察したときの色と略等価な画像を形成するための色変換係数である電子画像色温度補正色変換係数を決定する。すなわち色温度変換補整部２２０は、本発明に係る電子画像色温度補正色変換係数決定部の機能も有する。
【００３８】
たとえば、この色温度変換補整部２２０は、ターゲットとなる原稿の観察環境光の影響および電子原稿が取得された際の色温度データの影響を考慮して、実際に原稿を観察する際の光源特性の変化によって生じる色ずれを吸収させるため、実データに基づいて色変換係数を求め、色変換を行なう。続いて観察環境光の影響を加味するため、色温度変換補整部２２０は、観察環境光データ取得部２１０において印刷物の観察環境光データを取得し、また電子原稿色温度データ取得部２２４において電子原稿取得条件情報に含まれる電子原稿色温度情報を取得し、これら取得した観察環境光データおよび電子原稿色温度情報に基づいて、観察環境にあった色温度への変換係数を取得する。
【００３９】
なお本実施形態では、印刷物の観察環境光データＸＹＺ値を抽出し、そのＸＹＺ値を上記マトリクス係数ａｉｊによりＲＧＢ値に変換したとき、入力側の値が“２５５”を越えないように定数倍することで、マトリクス係数を調整する。これはＩＣＣプロファイルの仕様にあわせるためである。ただし、本来ＩＣＣプロファイルの規約内では、ＩＣＣプロファイル内のホワイトポイントタグを利用してディスプレイの白色点にあたる色温度情報を書き入れることで、本調整は特別には不要である。
【００４０】
しかしながらここでは環境光対応のシステム設計とするため、ディスプレイの一例である表示デバイス４０側の白色点を表示デバイス４０の色温度に関わらず、白色点を対象観察印刷物の白点、または環境光源色に類するものの色温度にあわせる必要がある。そこでＩＣＣで規定しているプロファイル構造における環境光に対応したＣＭＳ（カラーマネジメントシステム）を実現するため、ホワイトポイントタグには、前記対象観察印刷物の白点または環境光源色に類するものの色度情報を埋め込む。これによりディスプレイでは表示することのできない色の定義が含まれてしまう可能性があり、補正が必要となる。この補正をする機能部分が、後述する好適色再現係数決定部２８０である。
【００４１】
また先のＴＲＣ算出部２１０で得られるＴＲＣ値も補正前のマトリクス係数で作られることから、マトリクス係数を補正したことによりＴＲＣもまた再計算され、色温度変換補整部２２０にて、前記忠実色再現予測値を維持するための補整を施す。この補整後の忠実色再現予測値を忠実再現色変換係数という。また本実施形態での記述では、色温度変換補整部２２０において、白色点のみを基準とした変換方法を行なっているが、環境光の影響は色空間の箇所によって変化するものであり、白色点のみを基準とした色変換係数の補整方法に限らず、環境光の影響や色空間の箇所を考慮した変換係数の決定方法としてもよい。
【００４２】
色の見え補正部２４０は、図３（Ａ）に示すように、電子原稿色温度情報認識部の一例である電子原稿色温度データ取得部２２４によって取得された電子原稿色温度情報に基づいて、電子原稿取得条件情報を含む電子原稿３に対応する記録物を観察する光源の色温度情報を示す記録物周辺環境光情報を取得する記録物周辺環境光情報取得部の一例である主観評価実験結果取得部２４２を有する。
【００４３】
そして、色の見え変換補正部２４０は、電子原稿色温度情報認識部の一例である電子原稿色温度データ取得部２２４によって取得された電子原稿色温度情報と、記録物周辺環境光情報取得部の一例である主観評価実験結果取得部２４２によって取得された記録物周辺環境光情報とに基づいて、記録物周辺環境光情報から取得した光源下での電子原稿取得条件情報を含む電子原稿に対応する記録物の色と略等価な画像を形成するための色変換係数である記録物環境光補正色変換係数を決定する。すなわち色の見え変換補正部２４０は、本発明に係る記録物色環境光補正色変換係数決定部の機能を有する。
【００４４】
さらに色の見え補正部２４０は、物体色と光源色の色の見え補整を行なう、すなわち光源色と物体色の違いや周囲の色との対比効果に代表される視覚特性などの人間の視覚特性に起因による色の見えの違いを補整する。たとえば、色の見え変換補正部２４０は、主観評価実験結果取得部２４２により、反射色と光源色のカラーマッチング結果情報を取得するなどして、等色実験結果などの実データを求める。たとえば、主観評価実験結果取得部２４２により取得される色情報は、印刷物の白色点とディスプレイ上に表示させる色とのマッチングをとった場合における、そのマッチングしたときの色情報（デバイスＸＹＺなど）である。色の見え変換補正部２４０は、この等色実験結果などの実データを用いて色変換係数を決め、印刷物のような反射色とディスプレイのような発光色における色の見えの違いを補整する。
【００４５】
なお実際には、色温度変換補整部２２０と同様に、ディスプレイＩＣＣプロファイル内のホワイトポイントタグを使用して色温度変換におけるマッチング結果を反映させる。またこれに付随したＴＲＣの補整も先の色温度変換補整部２２０と同様に行なう。
【００４６】
また本実施形態での記述では、色の見え変換補整部２４０において、白色点のみを基準とした変換方法を行なっているが、環境光の影響は色空間の箇所によって変化するものであり、環境光の影響や色空間の箇所を考慮した変換係数の決定方法としてもよい。この点も、上記色温度変換補整部２２０と同様である。
【００４７】
デバイス補正部２６０は、電子原稿色温度情報認識部の一例である電子原稿色温度データ取得部２２４によって取得された電子原稿色温度情報と、表示装置周辺環境光情報取得部の一例である観察環境光源データ取得部２２２によって取得された表示装置周辺環境光情報と、記録物周辺環境光情報取得部の一例である主観評価実験結果取得部２４２によって取得された記録物周辺環境光情報に基づいて、電子原稿取得条件情報を含む電子原稿に対応する記録物の記録物周辺環境光情報から取得される光源下での色と略等価な画像を表示デバイス４０上に形成するための色変換係数である総合環境光補正色変換係数を決定する。すなわち、デバイス補正部２６０は、本発明に係る総合環境光補正色変換係数決定部の機能を有する。
【００４８】
このデバイス補正部２６０は、表示デバイス４０の色温度および機差を起因としたデバイス個々の特性を示す実データを取得する表示装置特性取得部２６２を備える。デバイス補正部２６０では、表示装置特性取得部２６２が取得した色温度などの実データに基づいて、表示デバイス４０の色温度およびデバイス個々の特性を吸収するための補整色変換係数を求める。
【００４９】
また、デバイス補正部２６０は、前述の色温度変換補整部２２０と同様に、忠実色再現予測値を維持するための補整を行なう。ここでは、その詳細な説明を割愛する。デバイス補正部２６０により得られた補整済みの色変換係数は、好適色再現係数決定部２８０に入力される。
【００５０】
好適色再現係数決定部２８０は、電子原稿取得条件情報を含む電子原稿の色と略等価な画像を形成するための色変換係数である好適色変換係数を決定する。このため、好適色再現係数決定部２８０は、デバイス非依存の色空間上の座標を表わす第１の色信号（たとえばＸＹＺ値）に対して表示デバイス４０の色域に左右されない測色的な一致で再現を行なうための色変換係数である忠実再現色変換係数を決定する忠実再現色変換係数決定部２８２と、表示デバイス４０の色域に基づいた再現を行なうための色変換係数である色域圧縮色変換係数の一例である線形圧縮色変換係数を決定する色域圧縮色変換係数決定部の一例としての線形圧縮色再現係数決定部２８４とを備える。また好適色再現係数決定部２８０は、一変数重み関数を用いて、忠実再現色変換係数決定部２８２により得られた忠実再現色変換係数と線形圧縮色再現係数決定部２８４により得られた線形圧縮色変換係数（色域圧縮色変換係数）とを比例演算することにより、電子原稿の色と略等価な画像を形成するための色変換係数である好適色変換係数を決定する関数比例演算部２８６を備える。
【００５１】
前述のように、好適色再現係数決定部２８０に入力される色変換係数は種々の補整が施されているので、忠実再現色変換係数決定部２８２にて電子原稿取得条件情報を含む電子原稿の色と略等価な画像を形成するための色変換係数を決定すると、忠実色再現を維持した忠実再現色変換係数が取得される。よって、このようにして決定された忠実再現色変換係数を用いて、電子原稿取得条件情報を含む電子原稿３におけるデバイス非依存の色空間上の座標を表わす色信号に対して色変換処理を施すと、表示装置と電子原稿ひいてはハードコピーとのＣＭＳが実現できる。
【００５２】
しかしながら忠実再現色変換係数決定部２８２で決定された変換係数は、通常は最終出力側の値は表示装置の一例である表示デバイス４０の色再現域を越え、ディスプレイ色域外の色域に導いてしまう（後述する図６の線分ｂを参照）。
【００５３】
そこで本実施形態の好適色再現係数決定部２８０では、線形圧縮色再現係数決定部２８４にて、前例の８ビットＲＧＢでは“０”〜“２５５”の範囲内というように、ディスプレイの色域内で収まるような圧縮を施す。本実施形態の線形圧縮色再現係数決定部２８４は、圧縮方法として線形圧縮を採用する。この線形圧縮された色変換係数を線形圧縮色再現係数（後述する図６の線分ｃを参照）という。
【００５４】
この線形圧縮色再現係数により、図１内の電子原稿３は、ディスプレイの色域内で収まり、且つ印刷物の白色点の色の見えに沿った出力原稿５を提供することができる。しかしながらその再現は、圧縮（前例では線形圧縮）の影響により全体的に色あせた画像を提示することがある。そこで、本実施形態の好適色再現係数決定部２８０では、さらに、忠実再現色変換係数決定部２８２より得られる忠実再現色変換係数と線形圧縮色再現係数決定部２８４より得られる線形圧縮色変換係数のＴＲＣデータを入力とした関数を用いて、関数比例演算部２８６により合成することで好適色再現係数（後述する図６の線分ｄを参照）を得、これにより、前記問題点を解消する。
【００５５】
関数比例演算部２８６は、図３（Ｃ）に示すように、一変数重み関数格納部２９２、一変数重み関数定数項決定部２９４、および一変数重み関数定数項調整部２９６を含む一変数重み関数部２９０を有する。本実施形態の関数比例演算部２８６は、好適色再現係数を決定するための色変換係数の算出に際し、忠実再現色変換係数と線形圧縮色変換係数の合成関数としてＣ（ｘ）を用いる。この合成関数Ｃ（ｘ）は、一般的に、２つのＴＲＣ関数と一変数重み関数ｗ（ｘ）とを用いて表すことができる。
【００５６】
また、一変数重み関数としては、忠実再現色変換係数と色域圧縮色変換係数とを入力としたものであるとともに、閾値内で１次微分可能であり且つ単調増加または単調減少を示す関数を用いる。たとえば、合成関数Ｃ（ｘ）は、忠実再現色変換係数ｆ（ｘ）および線形圧縮色再現係数ｇ（ｘ）と一変数重み関数格納部２９２より取得する一変数重み関数ｗ（ｘ）を用いて、下記式（２）のように表すことができる。
【数２】
2004110647.tif 000004
【００５７】
より具体的な合成関数Ｃ１（ｘ）の例としては、下記式（３）を用いることができる。この場合における、一変数重み関数格納部２９２により取得した一変数重み関数ｗ（ｘ）は、図４（Ａ）のようになる。
【数３】
2004110647.tif 000005
【００５８】
またより柔軟に忠実再現色変換係数と線形圧縮色変換係数を合成するための一例としては、２つのＴＲＣ関数にかかる重みが１：１になる変極点ｘｉｎｆと収束速度を決定する勾配ｐを用いて、下記式（４）のような合成関数Ｃ２（ｘ）および一変数重み関数ｗ（ｘ）として表すことができる。この場合における、一変数重み関数格納部２９２により取得した一変数重み関数ｗ（ｘ）は、図４（Ｂ）のようになる。
【数４】
2004110647.tif 000006
【００５９】
合成関数Ｃ２（ｘ）の場合、変極点ｘｉｎｆと収束速度を決定する勾配ｐを一変数重み関数定数項調整部２９６により調整することで、より柔軟に好適再現色変換係数を作成することが期待できる。また、ここで用いた変極点ｘｉｎｆや勾配ｐなどのパラメータは、一変数重み関数定数項決定部２９４で自動的に算出してもよい。
【００６０】
図５は、ＣＭＳ色変換係数決定部２０における上述の処理手順の概略を示したフローチャートである。先ずＣＭＳ色変換係数決定部２０の第１ベースデータ取得部２０２は、任意のＲＧＢ値を表示デバイス４０に入力して表示させたときの分光放射輝度計などのＸＹＺ色座標の測色値（デバイスＸＹＺ値）と入力ＲＧＢ値であるデバイスＲＧＢ値とのデータ対をベースデータとして取得する（Ｓ１００）。
【００６１】
マトリクス係数算出部２０４は、デバイスＲＧＢ値とデバイスＸＹＺ値のデータ対を用いて、マトリクス係数算出用ＲＧＢ値に対応するＸＹＺ値を予測した後（Ｓ１０２）、ＲＧＢデータとＸＹＺデータとを線形的に結びつけるマトリクス係数を算出する（Ｓ１０４）。マトリクス変換部２０６は、デバイスＸＹＺ値に線形な特性を持つリニアＲＧＢ値を算出する（Ｓ１０６）。第２ベースデータ取得部２０８は、デバイスＲＧＢ値とリニアＲＧＢ値とに基づいてＴＲＣ算出用のベースデータを取得する（Ｓ１０８）。
【００６２】
次に、ＴＲＣ算出部２１０は、デバイス非依存のＸＹＺ値とリニアＲＧＢ値から、リニアＲＧＢ値に対応するデバイス依存のデバイスＲＧＢ値を予測する（Ｓ１１０）。外挿部分色予測部２１２は、ディスプレイ色域外（外挿部分）についても予測値を算出する（Ｓ１１２）。
【００６３】
次に、色温度変換補整部２２０の観察環境光源データ取得部２２２は、表示デバイス４０の周辺を照明する環境光源の情報を示す表示装置周辺環境光情報を取得する（Ｓ１１４）。電子原稿色温度データ取得部２２４は、電子原稿３に含まれる電子原稿取得条件情報から電子原稿色温度情報を取得する（Ｓ１１６）。色温度変換補整部２２０は、観察環境光源データ取得部２２２によって得られた表示装置周辺環境光情報に基づいて、表示デバイス４０に表示される電子原稿の色と略等価な画像を形成するための表示装置環境光補正色変換係数を決定する（Ｓ１１８）。
【００６４】
また、色温度変換補整部２２０は、電子原稿色温度データ取得部２２４が取得した電子原稿色温度情報に基づいて、その色温度の照明光源で電子原稿３に対応した画像を形成した記録物を観察したときの色と略等価な画像を形成するための電子画像色温度補正色変換係数を決定する（Ｓ１２０）。
【００６５】
次に、色の見え補正部２４０の主観評価実験結果取得部２４２は、電子原稿色温度データ取得部２２４によって取得された電子原稿色温度情報に基づいて、電子原稿３に対応する記録物を観察する光源の色温度情報を示す記録物周辺環境光情報を取得する（Ｓ１２２）。色の見え変換補正部２４０は、電子原稿色温度データ取得部２２４によって取得された電子原稿色温度情報と主観評価実験結果取得部２４２によって取得された記録物周辺環境光情報とに基づいて、記録物周辺環境光情報から取得した光源下での電子原稿に対応する記録物の色と略等価な画像を形成するための記録物環境光補正色変換係数を決定する（Ｓ１２４）。そして、色の見え補正部２４０は、人間の視覚特性に起因による色の見えの違いを補整する（Ｓ１２６）。
【００６６】
次にデバイス補正部２６０の表示装置特性取得部２６２は、表示デバイス４０の色温度およびデバイス個々の特性を示す実データを取得する（Ｓ１３０）。そしてデバイス補正部２６０は、表示装置特性取得部２６２が取得した色温度などの実データに基づいて、表示デバイス４０の色温度およびデバイス個々の特性を吸収するための補整色変換係数を取得する（Ｓ１３２）。
【００６７】
次に、好適色再現係数決定部２８０の忠実再現色変換係数決定部２８２は、デバイス非依存の色信号（ＸＹＺ値）に対して表示デバイス４０の色域に左右されない測色的な一致で再現を行なうための忠実再現色変換係数を決定する（Ｓ１３４）。
【００６８】
線形圧縮色再現係数決定部２８４は、表示デバイス４０の色域に基づいた再現を行なうための線形圧縮色変換係数を決定する（Ｓ１３６）。関数比例演算部２８６は、一変数重み関数を用いて、忠実再現色変換係数決定部２８２により得られた忠実再現色変換係数と線形圧縮色再現係数決定部２８４により得られた線形圧縮色変換係数とを比例演算することで、電子原稿の色と略等価な画像を形成するための色変換係数である好適色変換係数を決定する（Ｓ１３８）。
【００６９】
図６は、ＣＭＳ色変換係数決定部２０にて求める各種の色変換係数を説明する図である。線分ａはＴＲＣ算出部２１０にて予測した値である忠実色再現予測値を示し、線分ｂは好適色再現係数決定部２８２にて取得する忠実再現色変換係数を示す。また、線分ｃは線形圧縮色再現係数決定部２８４にて線形圧縮された後の色変換係数である線形圧縮色変換係数を示し、線分ｄは関数比例演算部２８６により算出された一変数重み関数を用いて補整した色変換係数である好適色再現係数を示す。
【００７０】
先にも述べたように、ＴＲＣ算出部２１０は、電子原稿におけるデバイス非依存の色空間上の座標を表わす第１の色信号の一例であるＸＹＺ値とそれを線形的に変換した色空間上にあるリニアＲＧＢ値から、このリニアＲＧＢ値に対応する第２の色空間のデバイス依存型色信号であるデバイスＲＧＢを予測している。そしてこの際、外挿部分色予測部２１２にて、対象としたディスプレイ色域の外側の外挿部分についても予測値を算出し、十二分な色域の範囲を予測しておく、すなわち第１の色信号に対して画像表示装置（前例では表示デバイス４０）の色域に左右されない測色的な一致で再現を行なうための色変換係数を求めるので、線分ａで示すように、当然のごとく、忠実色再現予測値は、表示装置の一例である表示デバイス４０の色域を越え、ディスプレイ色域外の色域に導かれる。
【００７１】
また、色温度変換補整部２２０や色の見え変換補正部２４０あるいはデバイス補正部２６０は、この線分ａで示す忠実色再現予測値に対して環境光の影響やデバイス特性などを考慮して所定の補整を施す。このため、忠実色再現変換係数決定部２８２で取得された最終出力側の変換係数値である忠実色再現変換係数も、表示装置の一例である表示デバイス４０の色域を越え、ディスプレイ色域外の色域に導いてしまう。
【００７２】
線形圧縮色再現係数決定部２８４は、この再現変換係数決定部２８２で取得された線分ｂで示す忠実再現色変換係数をディスプレイ色域内に収まるように圧縮する。前例では、“０”〜“２５５”に範囲に収まるように線形圧縮することで、線分ｃで示す線形圧縮色変換係数を求める。たとえば、忠実再現色変換係数の最大値“３５０”がディスプレイ色域の最大値である“２５５”に対応するように、それぞれの忠実再現色変換係数に対して単純に比例係数“２５５／３５０”を掛けた値を線形圧縮色変換係数とする。ところが、図から明らかなように、線形圧縮の影響から、全体的に色あせた画像を提示することがある。特に、デジタル値“０”に近い低明度領域での濃度低下が大きい。
【００７３】
これに対して、線分ｄで示す好適色再現係数によれば、デジタル値“０”に近い低明度領域では線分ｂで示す忠実再現色変換係数に依存度が高く、逆にデジタル値“２５５”に近い高明度領域では線分ｃで示す線形圧縮色変換係数に依存度が高くなるように、色変換係数が設定される。よって、この線分ｄで示す好適色再現係数を用いてデバイス非依存の色空間上の座標を表わす色信号に対して色変換処理を施すと、線形圧縮色変換によって生じる低中間調での色あせを抑えつつ、忠実再現色変換によって生じる高濃度側飽和状態を回避できる。
【００７４】
以上説明したように、上記実施形態の画像処理装置１、特に本発明に係る色変換係数決定装置の一例であるＣＭＳ色変換係数決定部２０によれば、デバイス非依存の色空間上の座標を表わす第１の色信号に対して画像表示装置の色域に左右されない測色的な一致で再現を行なうための色変換係数である忠実再現色変換係数を決定し、さらに画像表示装置の色域に基づいた再現を行なうための色変換係数である色域圧縮色変換係数（前例では線形圧縮色変換係数）を決定し、それぞれ決定した忠実再現色変換係数と色域圧縮色変換係数とに基づいて、電子原稿取得条件情報を含む電子原稿の色と略等価な画像を形成するための色変換係数である好適色変換係数を決定するようにした。
【００７５】
たとえば、忠実再現色変換係数と色域圧縮色変換係数とを入力とした一変数重み関数で示される合成関数を用いて、色域に左右されない忠実な色再現変換係数と表示デバイスに依存した色再現変換係数を合成することによって、好適色変換係数を決定する。色変換係数適用部３０は、このようにして決定された好適色変換係数を用いて、電子原稿取得条件情報を含む電子原稿３におけるデバイス非依存の色空間上の座標を表わす色信号に対して色変換処理を施す。これにより、線形圧縮色変換によって生じる低中間調での色あせを抑えつつ、忠実再現色変換によって生じる高濃度側飽和状態を回避できるので、ディスプレイ上にけるＣＭＳとして非常に精度の高い好適な色再現画像の取得が可能となる。
【００７６】
従来のＩＣＣプロファイルを用いたディスプレイＣＭＳ環境光対応においては、本来ディスプレイの色温度を入力されるべきホワイトポイントタグに環境光にあたるデータを入力することで実施する。しかしながら従来の色変換方法では、環境光の影響を受け、表示装置の色域に関して十分な検討がなされておらず、色飛びが発生したり、逆に色あせ（低明度でのコントラスト低下）が発生してしまう要素をはらんでいた。加えて、ディスプレイ個々でその特性は異なり、それぞれで最適な色域を設定する必要があった。さらに、一般的には原稿の反射輝度に比べ、表示装置の輝度が低いため、忠実な再現を目指すと色飛びの破綻が生じてしまう結果となる。これらのために、ディプレイ上では、相対的な印象として光った印象を受ける画像となり好ましくない結果となっていた。
【００７７】
これに対して、上記実施形態によれば、電子原稿およびハードコピーとディスプレイ（画像表示装置）とにおける色再現域に違いがあっても、ＣＭＳ適用再現画像において、色あせや色飛びが生じることなく、電子原稿の本来の色をディスプレイ上に好適に再現することができる。加えて、照明光などの影響分を補正すれば、表示装置や観察環境によらず原稿の色度を精度よくディスプレイ上に色再現することができる。
【００７８】
白色ポイントＸＹＺを上限値と定めそれにあわせてディスプレイの色域に左右されず測色的な観点から色一致が得られるような忠実再現色変換係数を決定するとともに、ディスプレイ色域内に収まるように単純に圧縮するのではなく、色域に左右されない忠実再現色変換係数とディスプレイ再現範囲を反映した色域圧縮色変換係数とを合成することでより好ましい色変換係数である好適再現色変換係数を求めれば、効率よく色域を使用することができ、色飛びや色あせあるいはコントラスト低下の影響を極力抑えるように色変換を実現することで、精度の高い再現画像を構築することができる。また忠実な色再現での色変換係数を用いて、低明度成分で忠実な再現、高明度成分ではたとえば線形圧縮的な再現を基本とした色再現を実現することもできる。これにより、高明度での色飛びや低明度でのコントラスト低下を極力抑えた色再現ができる。
【００７９】
なお、上記の実施形態は、ＣＭＳ色変換係数決定部２０の機能部分をハードウェアにて構成するものとして説明したが、これに限らず、マイコンなどのＣＰＵ（中央演算処理装置）やパソコンなどの、いわゆる電子計算装置を利用し、ソフトウェアにて、上記の処理機能を実現することもできる。
【００８０】
この場合、マイコンやパソコンなどの電子計算装置は、前述のＣＭＳベース色変換係数決定部２００、色温度変換補整部２２０、デバイス補正部２６０、あるいは好適色再現係数決定部２８０などの各機能部分をソフトウェアとして備える。すなわち、前述の測色的ＣＭＳベース色変換係数決定部２００、色温度変換補整部２２０、デバイス補正部２６０、あるいは好適色再現係数決定部２８０などの各機能部分を実現するソフトウェアのプログラムコードを記録した記憶媒体（たとえば図示しないＲＡＭなど）から、装置のコンピュータ（またはＣＰＵやＭＰＵ）がプログラムコードを読出し実行することによって、前述の実施形態で述べた効果が達成される。この場合、記憶媒体から読み出されたプログラムコード自体が前述の実施形態の機能を実現することになる。なお、プログラムは、記憶媒体を介して提供されるものに限らず、有線あるいは無線による通信手段を介して配信されるプログラムデータをダウンロードしたものであってもよい。
【００８１】
また、コンピュータが読み出したプログラムコードを実行することで各機能が実現されるだけでなく、そのプログラムコードの指示に基づき、コンピュータ上で稼働しているＯＳ（オペレーティングシステム）などが実際の処理の一部または全部を行ない、その処理によって各機能が実現される場合であってもよい。さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、機能拡張カードや機能拡張ユニットに備わるＣＰＵなどが実際の処理の一部または全部を行ない、その処理によって前述の実施形態の各機能が実現される場合であってもよい。
【００８２】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【００８３】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組み合わせにより種々の発明を抽出できる。実施形態に示される全構成要件から幾つかの構成要件が削除されても、効果が得られる限りにおいて、この幾つかの構成要件が削除された構成が発明として抽出され得る。
【００８４】
たとえば、上記実施形態で示したＣＭＳ色変換係数決定部２０は、表示デバイス４０などとともに一体化された画像表示装置として提供されてもよい。
【００８５】
また、マトリクス係数算出部２０４やＴＲＣ算出部２１０では、特開平１０−２６２１５７号に記載の予測方法を利用していたが、予測方法は、特開平１０−２６２１５７号に記載の方法に限らず、その他の方法を利用してもよい。
【００８６】
また、好適色再現係数決定部２８０は、圧縮方法として線形圧縮を採用する線形圧縮色再現係数決定部２８４を用いたが、圧縮方法は、線形圧縮に限らず、より高次元の変換式を利用したものであってもよい。
【００８７】
【発明の効果】
以上のように、本発明によれば、デバイス非依存の色空間上の座標を表わす色信号に対して画像表示装置の色域に左右されない測色的な一致で再現を行なうための忠実再現色変換係数を決定し、さらに画像表示装置の色域に基づいた再現を行なうための色域圧縮色変換係数を決定し、それぞれ決定した忠実再現色変換係数と色域圧縮色変換係数とに基づいて、電子原稿の色と略等価な画像を形成するための色変換係数である好適色変換係数を決定するようにした。
【００８８】
これにより、たとえば線形圧縮色変換によって生じる低中間調での色あせを抑えつつ、忠実再現色変換によって生じる高濃度側飽和状態を回避できるので、画像表示装置上にけるカラーマネージメントシステムとして精度の高い好適な色再現画像の取得が可能となる。
【図面の簡単な説明】
【図１】本発明に係る色変換係数決定装置の一実施形態を備えた画像処理装置のブロック図である。
【図２】ＣＭＳ色変換係数決定部の一構成例のブロック図とデータの流れを示す図である。
【図３】ＣＭＳ色変換係数決定部の具体的な構成例を示すブロック図である。
【図４】好適色再現係数決定部にて使用する一変数重み関数ｗ（ｘ）の特性例を示す図である。
【図５】ＣＭＳ色変換係数決定部における処理手順の概略を示したフローチャートである。
【図６】ＣＭＳ色変換係数決定部にて求める各色変換係数を説明する図である。
【符号の説明】
１…画像処理装置、３…電子原稿、５…出力原稿、１０…電子原稿データ取得部、２０…ＣＭＳ色変換係数決定部、３０…色変換係数適用部、４０…表示デバイス、１０２…第１の最適ベースデータ算出部、１０４…マトリクス係数算出部、１０６…マトリクス変換部、１１０…ＴＲＣ算出部、１２０…３×３マトリクス係数補正部、１８０…ＴＲＣ　ＬＵＴ　データ補正部、２００…測色的ＣＭＳベース色変換係数決定部、２０２…第１ベースデータ取得部、２０４…マトリクス係数算出部、２０６…マトリクス変換部、２０８…第２ベースデータ取得部、２１０…ＴＲＣ算出部、２１２…外挿部分色予測部、２２０…色温度変換補整部、２２２…観察環境光源データ取得部、２２４…電子原稿色温度データ取得部、２４０…色の見え変換補正部、２４２…主観評価実験結果取得部、２６０…デバイス補正部、２６２…表示装置特性取得部、２８０…好適色再現係数決定部、２８２…忠実色再現変換係数決定部、２８４…線形圧縮色再現係数決定部、２８６…関数比例演算部、２９０…一変数重み関数部、２９２…一変数重み関数格納部、２９４…一変数重み関数定数項決定部、２９６…一変数重み関数定数項調整部
【図１】
2004110647.tif 000007
【図２】
2004110647.tif 000008
【図３】
2004110647.tif 000009
【図４】
2004110647.tif 000010
【図５】
2004110647.tif 000011
【図６】
2004110647.tif 000012